(57)【要約】【課題】ログイン処理などを必要とせずに、ウェブサイトの閲覧履歴とユーザ属性とを正確に関連付ける。【解決手段】情報収集システム１において、情報収集サーバ１０は、携帯端末１４０ａ，１４０ｂのウェブブラウザにより取得されたウェブサイトの情報を収集するための制御を行う情報収集制御部１１を有する。情報収集制御部１１は、ウェブサイトの閲覧履歴を情報収集サーバ１０に提供することに応じた携帯端末１４０ａ，１４０ｂに対して、閲覧履歴及び加入者識別子（ＩＭＳＩ）を収集する情報送信プログラムを送信する制御を行う。情報収納部１２は、ウェブサイトの閲覧履歴を情報収集サーバ１０に提供することに応じた携帯端末１４０ａ，１４０ｂから収集した閲覧履歴を格納する。ウェブサイトの閲覧履歴は、情報送信プログラムによって送信される。【選択図】図１
2009259119.tif 000002
【特許請求の範囲】
【請求項１】
移動体通信網に接続可能な携帯端末に実装された閲覧ソフトを用いて閲覧されたウェブサイトの閲覧履歴を収集する情報収集システムであって、
前記携帯端末の加入者によって前記閲覧ソフトを用いて閲覧された前記ウェブサイトの閲覧履歴を収集する情報収集サーバと、
前記閲覧ソフトに組み込まれる情報送信プログラムを前記携帯端末に送信するプログラム送信サーバとを備え、
前記閲覧ソフトに組み込まれた前記情報送信プログラムは、前記移動体通信網において前記加入者を識別する加入者識別子及び前記ウェブサイトの閲覧履歴を前記情報収集サーバに送信する処理を前記携帯端末に実行させることを特徴とする情報収集システム。
【請求項２】
前記加入者識別子と前記加入者のプロフィールとを関連付けて管理するプロフィール管理サーバと、
前記ウェブサイトの閲覧履歴を前記プロフィール毎に集計する情報集計サーバとをさらに備え、
前記情報集計サーバは、
前記ウェブサイトの閲覧履歴を前記情報収集サーバから取得し、前記プロフィールを前記プロフィール管理サーバから取得する取得部と、
前記情報収集サーバから取得した前記ウェブサイトの閲覧履歴と前記プロフィール管理サーバから取得した前記プロフィールとを前記加入者識別子によって関連づける関連付け部とを有することを特徴とする請求項１に記載の情報収集システム。
【請求項３】
前記移動体通信網には、前記加入者識別子と前記加入者のプロフィールを含む加入者情報とを関連付けて管理する加入者情報管理装置が設けられており、
前記ウェブサイトの閲覧履歴を前記プロフィール毎に集計する情報集計サーバをさらに備え、
前記情報集計サーバは、
前記ウェブサイトの閲覧履歴を前記情報収集サーバから取得し、前記プロフィールを前記加入者情報管理装置から取得する取得部と、
前記情報収集サーバから取得した前記ウェブサイトの閲覧履歴と前記加入者情報管理装置から取得した前記プロフィールとを前記加入者識別子によって関連づける関連付け部とを有することを特徴とする請求項１に記載の情報収集システム。
【請求項４】
前記携帯端末には、前記携帯端末の位置情報を取得する機能が実装されており、
前記閲覧ソフトに組み込まれた前記情報送信プログラムは、前記ウェブサイトの閲覧履歴とともに前記携帯端末の位置情報を前記情報収集サーバに送信する処理を前記携帯端末に実行させ、
前記取得部は、前記ウェブサイトの閲覧履歴とともに前記携帯端末の位置情報を前記情報収集サーバから取得し、
前記関連付け部は、前記ウェブサイトの閲覧履歴及び前記携帯端末の位置情報を関連付け、
前記情報集計サーバは、前記ウェブサイトの閲覧履歴を前記携帯端末の位置情報毎に集計することを特徴とする請求項２又は請求項３に記載の情報収集システム。
【請求項５】
前記ウェブサイトの閲覧履歴は、第１ウェブサイトを識別する第１サイト識別子と、第１ウェブサイトの閲覧前に閲覧されていた第２ウェブサイトを識別する第２サイト識別子とを含むことを特徴とする請求項１に記載の情報収集システム。
【請求項６】
移動体通信網に接続可能な携帯端末に実装された閲覧ソフトを用いて閲覧されたウェブサイトの閲覧履歴を前記移動体通信網とは異なるネットワークに接続された情報収集サーバに収集する情報収集方法であって、
前記閲覧ソフトに前記情報送信プログラムを組み込む工程と、
前記携帯端末の加入者によって前記閲覧ソフトを用いて閲覧された前記ウェブサイトの閲覧履歴を前記情報送信プログラムにより収集する工程と、
前記移動体通信網において前記加入者を識別する加入者識別子及び前記ウェブサイトの閲覧履歴を前記情報収集サーバに送信する工程と
を有する情報収集方法。
【請求項７】
前記ウェブサイトの閲覧履歴を前記情報収集サーバから取得し、前記プロフィールを前記プロフィール管理サーバから取得する工程と、
前記情報収集サーバから取得した前記ウェブサイトの閲覧履歴と前記加入者識別子と前記加入者のプロフィールとを関連付けて管理するプロフィール管理サーバから取得した前記プロフィールとを前記加入者識別子によって関連づける関連付け工程とを有することを特徴とする請求項６に記載の情報収集方法。
【請求項８】
前記ウェブサイトの閲覧履歴を前記情報収集サーバから取得し、前記プロフィールを前記加入者識別子と前記加入者のプロフィールを含む加入者情報とを関連付けて管理する加入者情報管理装置から取得する工程と、
前記情報収集サーバから取得した前記ウェブサイトの閲覧履歴と前記加入者情報管理装置から取得した前記プロフィールとを前記加入者識別子によって関連づける関連付け工程とを有することを特徴とする請求項６に記載の情報収集方法。
【請求項９】
前記ウェブサイトの閲覧履歴とともに前記携帯端末の位置情報を取得する工程と、
前記ウェブサイトの閲覧履歴を前記携帯端末の位置情報毎に集計する工程とを有すること特徴とする請求項７又は請求項８に記載の情報収集方法。
【請求項１０】
前記ウェブサイトの閲覧履歴として、第１ウェブサイトを識別する第１サイト識別子と、第１ウェブサイトの閲覧前に閲覧されていた第２ウェブサイトを識別する第２サイト識別子と取得する工程を含むことを特徴とする請求項６に記載の情報収集方法。
【請求項１１】
移動体通信網に接続可能な携帯端末に実装された閲覧ソフトに組み込まれる情報収集プログラムであって、
前記携帯端末に対して、
前記携帯端末の加入者によって前記閲覧ソフトを用いて閲覧された前記ウェブサイトの閲覧履歴を収集する工程と、
前記移動体通信網において前記加入者を識別する加入者識別子及び収集した前記ウェブサイトの閲覧履歴を前記移動体通信網とは異なるネットワークに向けて送信する工程と
を実行させる情報収集プログラム。
【発明の詳細な説明】
【技術分野】
【０００１】
本発明は、移動体通信網に接続可能な携帯端末に実装された閲覧ソフトを用いて閲覧されたウェブサイトの閲覧履歴を収集する情報収集システム、情報収集方法、及び情報収集プログラムに関する。
【背景技術】
【０００２】
従来、パーソナルコンピュータなどの端末装置に実装された閲覧ソフト（例えば、ウェブブラウザ）を用いて閲覧されたウェブサイトの閲覧履歴を収集する情報収集システムが知られている（例えば、特許文献１）。
【０００３】
具体的には、情報収集システムは、ウェブサイトを識別するサイト識別子（例えば、ＵＲＬ；Ｕｎｉｆｏｒｍ  Ｒｅｓｏｕｒｃｅ  Ｌｏｃａｔｏｒ）、端末装置を識別する端末識別子（例えば、ＩＰアドレス）を収集する情報収集サーバを備える。
【０００４】
また、情報収集システムは、端末識別子とユーザ属性とを関連付けて管理する属性管理サーバを備える。ユーザ属性は、端末装置を利用するユーザの年齢、性別、趣味などのプロフィールである。
【０００５】
情報収集システムは、情報収集サーバで収集されたウェブサイトの閲覧履歴と属性管理サーバで管理されるユーザ属性とを端末識別子によって関連付ける。これによって、情報収集システムは、ウェブサイトの閲覧履歴をユーザ属性毎に集計することができる。
【０００６】
このような情報収集システムでは、例えば、ウェブサイトの閲覧に用いる閲覧ソフトに組み込まれるツールバーが利用される。ツールバーは、ウェブサイトの閲覧履歴を収集するプログラムを有する。
【０００７】
ここで、一のウェブサイトは、他のウェブサイトに紐付けられたリンク情報を有することが一般的である。ユーザが閲覧するウェブサイトが一のウェブサイトから他のウェブサイトに切り替えられたケースでは、ツールバーは、他のウェブサイトの閲覧前に閲覧された一のウェブサイトのサイト識別子をリファラーとして取得する。ツールバーは、ユーザが閲覧した他のウェブサイトのサイト識別子、リファラー及び端末識別子などを情報収集サーバに送信する。
【特許文献１】特開２００６−３０９３８０号公報
【発明の開示】
【発明が解決しようとする課題】
【０００８】
ところで、端末装置を用いてウェブサイトを閲覧するユーザは一人に限られない。例えば、家族で端末装置を共用しているケースでは、ウェブサイトを閲覧するユーザは複数人である。上述した情報収集システムでは、端末識別子をキーとして用いるため、ウェブサイトの閲覧履歴とユーザ属性とを正確に関連付けることができない。
【０００９】
ここで、ユーザを識別するユーザ識別子を各ユーザに割り当てて、端末識別子に代えてユーザ識別子を用いることも考えられる。しかしながら、ツールバーの提供者は、ユーザ識別子が重複しないようにユーザ識別子を割り当てる必要があり、ユーザは、ユーザ識別子の入力を伴うログイン処理を行う必要がある。
【００１０】
そこで、本発明は、上述した課題を解決するためになされたものであり、ログイン処理などを必要とせずに、ウェブサイトの閲覧履歴とユーザ属性とを正確に関連付けることを可能とする情報収集システム、情報収集方法、及び情報収集プログラムを提供することを目的とする。
【課題を解決するための手段】
【００１１】
上述した問題を解決するため、本発明は、次のような特徴を有している。本発明の第１の特徴は、移動体通信網に接続可能な携帯端末に実装された閲覧ソフトを用いて閲覧されたウェブサイトの閲覧履歴を収集する情報収集システムであって、前記携帯端末の加入者によって前記閲覧ソフトを用いて閲覧された前記ウェブサイトの閲覧履歴を収集する情報収集サーバと（情報収集サーバ１０）、前記閲覧ソフトに組み込まれる情報送信プログラムを前記携帯端末（携帯端末１４０ａ，１４０ｂ）に送信するプログラム送信サーバ（プログラム送信サーバ２０）とを備え、前記閲覧ソフトに組み込まれた前記情報送信プログラムは、前記移動体通信網（移動体通信ネットワーク１１０）において前記加入者を識別する加入者識別子及び前記ウェブサイトの閲覧履歴を前記情報収集サーバに送信する処理を前記携帯端末に実行させることを要旨とする。
【００１２】
本発明の第１の特徴によれば、プログラム送信サーバにより携帯端末に送信された閲覧ソフトに組み込まれた情報送信プログラムは、移動体通信網において加入者を識別する加入者識別子及びウェブサイトの閲覧履歴を情報収集サーバに送信する処理を携帯端末に実行させる。
【００１３】
このように、本発明の第１の特徴によれば、携帯端末で閲覧されたウェブサイトの閲覧履歴と携帯端末の加入者識別子とが情報収集サーバに収集される。
【００１４】
従って、本発明の情報収集システムは、ログイン処理などを必要とせずに、ウェブサイトの閲覧履歴とユーザ属性とを正確に関連付けることを可能とする。
【００１５】
本発明の第２の特徴は、本発明の第１の特徴に係り、前記加入者識別子と前記加入者のプロフィールとを関連付けて管理するプロフィール管理サーバ（モニタプロフィール管理サーバ３０）と、ウェブサイトの閲覧履歴をプロフィール毎に集計する情報集計サーバ（情報集計サーバ４０）とをさらに備える。
【００１６】
情報集計サーバは、ウェブサイトの閲覧履歴を情報収集サーバから取得し、前記プロフィールを前記プロフィール管理サーバから取得する取得部（情報取得部４１）と、情報収集サーバから取得した前記ウェブサイトの閲覧履歴と前記プロフィール管理サーバから取得した前記プロフィールとを前記加入者識別子によって関連づける関連付け部（関連付部４２）とを有することを要旨とする。
【００１７】
本発明の第２の特徴によれば、情報集計サーバは、情報収集サーバから取得したウェブサイトの閲覧履歴とプロフィール管理サーバから取得したプロフィールとを加入者識別子によって関連付ける。
【００１８】
従って、本発明の第２の特徴によれば、ウェブサイトの閲覧履歴とユーザプロフィールのような、より詳細なユーザ属性とを正確に関連付けることを可能とする。
【００１９】
本発明の第３の特徴は、本発明の第１の特徴に係り、前記移動体通信網（移動体通信ネットワーク１１０）には、前記加入者識別子と前記加入者のプロフィールを含む加入者情報とを関連付けて管理する加入者情報管理装置（加入者情報管理装置１３０）が設けられており、前記ウェブサイトの閲覧履歴を前記プロフィール毎に集計する情報集計サーバ（情報集計サーバ４０）をさらに備え、前記情報集計サーバは、前記ウェブサイトの閲覧履歴を前記情報収集サーバ（情報収集サーバ１０）から取得し、前記プロフィールを前記加入者情報管理装置から取得する取得部（情報取得部４１）と、前記情報収集サーバから取得した前記ウェブサイトの閲覧履歴と前記加入者情報管理装置（加入者情報管理装置１３０）から取得した前記プロフィールとを前記加入者識別子によって関連づける関連付け部（関連付部４２）とを有することを要旨とする。
【００２０】
本発明の第３の特徴によれば、情報集計サーバは、ウェブサイトの閲覧履歴を情報収集サーバから取得し、プロフィールを移動体通信網における加入者情報管理装置から取得し、情報収集サーバから取得したウェブサイトの閲覧履歴と加入者情報管理装置から取得したプロフィールとを加入者識別子によって関連付ける。
【００２１】
従って、本発明の第３の特徴によれば、閲覧履歴と移動体通信網において管理された加入者情報とを関連付けることを可能とする。これにより、加入者のプロフィールを改めて作成する手間が省ける。
【００２２】
本発明の第４の特徴は、本発明の第２又は第３の特徴に係り、前記携帯端末（携帯端末１４０ａ，１４０ｂ）には、前記携帯端末の位置情報を取得する機能（位置情報測定部１４７）が実装されており、前記閲覧ソフトに組み込まれた前記情報送信プログラムは、前記ウェブサイトの閲覧履歴とともに前記携帯端末の位置情報を前記情報収集サーバに送信する処理を前記携帯端末に実行させ、前記取得部（情報取得部４１）は、前記ウェブサイトの閲覧履歴とともに前記携帯端末の位置情報を前記情報収集サーバから取得し、前記関連付け部（関連付部４２）は、前記ウェブサイトの閲覧履歴及び前記携帯端末の位置情報を関連付け、前記情報集計サーバは、前記ウェブサイトの閲覧履歴を前記携帯端末の位置情報毎に集計することを要旨とする。
【００２３】
本発明の第４の特徴によれば、閲覧ソフトに組み込まれた情報送信プログラムは、ウェブサイトの閲覧履歴とともに携帯端末において取得された位置情報を情報収集サーバに送信する処理を携帯端末に実行させる。情報集計サーバは、ウェブサイトの閲覧履歴を携帯端末の位置情報毎に集計する。
【００２４】
従って、本発明の第４の特徴によれば、ログイン処理などを必要とせずに、ウェブサイトの閲覧履歴とユーザ属性とを正確に関連付けることを可能とする。更に、ユーザ属性とウェブサイトが閲覧されたときの位置情報とを関連付けることを可能とする。
【００２５】
本発明の第５の特徴は、本発明の第１の特徴に係り、前記ウェブサイトの閲覧履歴は、第１ウェブサイトを識別する第１サイト識別子と、第１ウェブサイトの閲覧前に閲覧されていた第２ウェブサイトを識別する第２サイト識別子（リファラー情報）とを含むことを要旨とする。
【００２６】
本発明の第５の特徴によれば、ウェブサイトの閲覧履歴は、第１ウェブサイトを識別する第１サイト識別子と、第１ウェブサイトの閲覧前に閲覧されていた第２ウェブサイトを識別する第２サイト識別子とを含む。
【００２７】
従って、本発明の第５の特徴によれば、ログイン処理などを必要とせずに、ウェブサイトの閲覧履歴とユーザ属性とを正確に関連付けることを可能とする上に、第１ウェブサイトの閲覧前に閲覧されていた第２ウェブサイトを識別する第２サイト識別子（リファラー情報）を取得することができるので、より詳細な閲覧履歴を収集することができる。
【００２８】
本発明の第６の特徴は、移動体通信網に接続可能な携帯端末に実装された閲覧ソフトを用いて閲覧されたウェブサイトの閲覧履歴を前記移動体通信網とは異なるネットワークに接続された情報収集サーバに収集する情報収集方法であって、前記閲覧ソフトに前記情報送信プログラムを組み込む工程と、前記携帯端末の加入者によって前記閲覧ソフトを用いて閲覧された前記ウェブサイトの閲覧履歴を前記情報送信プログラムにより収集する工程と、前記移動体通信網において前記加入者を識別する加入者識別子及び前記ウェブサイトの閲覧履歴を前記情報収集サーバに送信する工程とを有することを要旨とする。
【００２９】
このように、本発明の第６の特徴によれば、携帯端末で閲覧されたウェブサイトの閲覧履歴と携帯端末の加入者識別子とが情報収集サーバに収集される。
【００３０】
従って、本発明の第６の特徴によれば、ログイン処理などを必要とせずに、ウェブサイトの閲覧履歴とユーザ属性とを正確に関連付けることを可能とする。
【００３１】
本発明の第７の特徴は、本発明の第６の特徴に係り、前記ウェブサイトの閲覧履歴を前記情報収集サーバから取得し、前記プロフィールを前記プロフィール管理サーバから取得する工程と、前記情報収集サーバから取得した前記ウェブサイトの閲覧履歴と前記加入者識別子と前記加入者のプロフィールとを関連付けて管理するプロフィール管理サーバから取得した前記プロフィールとを前記加入者識別子によって関連づける関連付け工程とを有することを要旨とする。
【００３２】
本発明の第８の特徴は、本発明の第６の特徴に係り、前記ウェブサイトの閲覧履歴を前記情報収集サーバから取得し、前記プロフィールを前記加入者識別子と前記加入者のプロフィールを含む加入者情報とを関連付けて管理する加入者情報管理装置から取得する工程と、前記情報収集サーバから取得した前記ウェブサイトの閲覧履歴と前記加入者情報管理装置から取得した前記プロフィールとを前記加入者識別子によって関連づける関連付け工程とを有することを要旨とする。
【００３３】
本発明の第９の特徴は、本発明の第７又は第８の特徴に係り、前記ウェブサイトの閲覧履歴とともに前記携帯端末の位置情報を取得する工程と、前記ウェブサイトの閲覧履歴を前記携帯端末の位置情報毎に集計する工程とを有することを要旨とする。
【００３４】
本発明の第１０の特徴は、本発明の第６の特徴に係り、前記ウェブサイトの閲覧履歴として、第１ウェブサイトを識別する第１サイト識別子と、第１ウェブサイトの閲覧前に閲覧されていた第２ウェブサイトを識別する第２サイト識別子と取得する工程を含むことを要旨とする。
【００３５】
本発明の第１１の特徴は、移動体通信網に接続可能な携帯端末に実装された閲覧ソフトに組み込まれる情報収集プログラムであって、前記携帯端末に対して、前記携帯端末の加入者によって前記閲覧ソフトを用いて閲覧された前記ウェブサイトの閲覧履歴を収集する工程と、前記移動体通信網において前記加入者を識別する加入者識別子及び収集した前記ウェブサイトの閲覧履歴を前記移動体通信網とは異なるネットワークに向けて送信する工程とを実行させることを要旨とする。
【００３６】
本発明の第１１の特徴によれば、携帯端末で閲覧されたウェブサイトの閲覧履歴と携帯端末の加入者識別子とがネットワークに向けて送信される。これにより、ネットワークに接続された情報収集サーバにおいて収集することができる。
【００３７】
従って、本発明の情報送信プログラムによれば、ログイン処理などを必要とせずに、携帯端末において閲覧されたウェブサイトの閲覧履歴とユーザ属性とを正確に関連付けることを可能とする。
【発明の効果】
【００３８】
本発明によれば、ログイン処理などを必要とせずに、ウェブサイトの閲覧履歴とユーザ属性とを正確に関連付けることを可能とする情報収集システムを提供することができる。
【発明を実施するための最良の形態】
【００３９】
次に、本発明に係る情報収集システムの実施形態について、図面を参照して説明する。具体的には、（１）情報収集システム全体概略構成、（２）情報収集サーバの構成、（３）プログラム送信サーバの構成、（４）情報送信プログラム、（５）モニタプロフィール管理サーバの構成、（６）情報集計サーバの構成、（７）携帯端末の構成、（８）閲覧履歴の収集処理、（９）作用・効果、（１０）変形例、及び（１１）その他の実施形態について説明する。
【００４０】
なお、以下の図面の記載において、同一または類似の部分には、同一または類似の符号を付している。ただし、図面は模式的なものであり、本発明に関係する部分のみを概念的に示している。
【００４１】
（１）情報収集システム全体概略構成
初めに、図１を参照しながら、本発明の実施形態に係る情報収集システム１の概略構成について説明する。
【００４２】
情報収集システム１は、図１に示すように、情報収集サーバ１０と、プログラム送信サーバ２０とを備える。情報収集サーバ１０とプログラム送信サーバ２０は、通信ネットワーク６０に接続される。また、情報収集システム１は、モニタプロフィール管理サーバ３０と、情報集計サーバ４０とを備える。
【００４３】
情報収集サーバ１０、プログラム送信サーバ２０、モニタプロフィール管理サーバ３０、及び情報集計サーバ４０は、ウェブサイトの閲覧履歴などの情報を収集する情報収集会社によって管理されるサーバである。
【００４４】
情報収集サーバ１０は、後述する携帯端末からウェブサイトの閲覧履歴を収集する。情報収集サーバ１０の具体的な構成は後述する。
【００４５】
プログラム送信サーバ２０は、後述する携帯端末にウェブサイトの閲覧履歴を送信させるための情報送信プログラムを送信する。プログラム送信サーバ２０の具体的な構成は後述する。
【００４６】
モニタプロフィール管理サーバ３０は、後述する携帯端末の加入者のプロフィール情報等を管理する。モニタプロフィール管理サーバ３０についての詳細は、後述する。
【００４７】
また、情報集計サーバ４０は、情報収集サーバ１０により収集されたウェブサイトの閲覧履歴及び携帯端末の加入者のプロフィール情報等を集計する。
【００４８】
通信ネットワーク６０には、コンテンツサーバ５０ａ，５０ｂが接続される。コンテンツサーバ５０ａ，５０ｂは、通信ネットワーク６０を介して、ウェブサイト等のコンテンツを提供する。
【００４９】
通信ネットワーク６０には、ゲートウェイ２００を介して、移動体通信システム１００が接続される。
【００５０】
移動体通信システム１００は、移動体通信ネットワーク１１０と、基地局１２０と、加入者情報管理装置１３０とを備える。
【００５１】
基地局１２０には、携帯端末１４０ａ，１４０ｂが無線通信により接続される。移動体通信システム１００は、加入者情報管理装置１３０により、各携帯端末（携帯端末１４０ａ，１４０ｂ）を管理している。
【００５２】
基地局１２０は、所定の無線範囲を形成しており、この無線範囲内に存在する携帯端末１４０ａ，１４０ｂと無線通信を行う。また、基地局１２０は、無線範囲内に、無線範囲を識別する位置情報を含む無線信号を送信する。
【００５３】
加入者情報管理装置１３０は、基地局１２０の無線範囲内に存在する携帯端末１４０ａ，１４０ｂを管理する。なお、加入者情報管理装置１３０の具体的な構成は後述する。
【００５４】
携帯端末１４０ａ，１４０ｂは、移動体通信ネットワーク１１０に接続されており、加入者情報管理装置１３０によって管理されている。
【００５５】
携帯端末１４０ａ，１４０ｂは、コンテンツサーバ５０ａ，５０ｂにより提供されるウェブサイト等のコンテンツをゲートウェイ２００及び通信ネットワーク６０を介して閲覧可能である。携帯端末１４０ａ，１４０ｂには、ウェブサイトを閲覧するための機能として、閲覧ソフト（ウェブブラウザという）がインストールされている。
【００５６】
すなわち、本実施形態では、携帯端末１４０ａ，１４０ｂは、ウェブブラウザを備えた携帯型電話である。なお、携帯端末１４０ａ，１４０ｂの具体的な構成は後述する。
【００５７】
また、移動体通信ネットワーク１００は、ゲートウェイ２００を介して、通信ネットワーク６０に接続される。なお、ゲートウェイ２００は、移動通信ネットワーク１００内に含まれていてもよい。
【００５８】
以上の構成を備える情報収集システム１は、携帯端末１４０ａ，１４０ｂのウェブブラウザにより取得されたウェブサイトに関する情報を収集することができる。なお、携帯端末１４０ａ，１４０ｂのウェブブラウザにより取得されたウェブサイトは、携帯端末１４０ａ，１４０ｂを所有するユーザによって閲覧されることを前提とする。そのため、以下では、ウェブブラウザにより取得されたウェブサイトに関する情報を閲覧履歴という。
【００５９】
（２）情報収集サーバの構成
情報収集サーバ１０は、携帯端末１４０ａ，１４０ｂのウェブブラウザにより取得されたウェブサイトの情報を収集するための制御を行う情報収集制御部１１を有する。また、情報収集制御部１１は、収集した閲覧履歴を格納する情報格納部１２を有する。
【００６０】
情報収集制御部１１は、携帯端末１４０ａ，１４０ｂに対して、ウェブサイトの閲覧履歴を情報収集サーバ１０に提供することを依頼する通知を行う。情報収集制御部１１は、ウェブサイトの閲覧履歴を情報収集サーバ１０に提供することに応じた携帯端末１４０ａ，１４０ｂに対して、閲覧履歴を収集するためのプログラム（情報送信プログラムという）を送信する制御を行う。
【００６１】
情報収納部１２は、ウェブサイトの閲覧履歴を情報収集サーバ１０に提供することに応じた携帯端末１４０ａ，１４０ｂから収集した閲覧履歴を格納する。ウェブサイトの閲覧履歴は、情報送信プログラムによって送信される。
【００６２】
（３）プログラム送信サーバの構成
プログラム送信サーバ２０は、情報送信プログラム格納部２１を有する。情報送信プログラム格納部２１には、ウェブサイトの閲覧履歴を収集するための情報送信プログラムが格納される。情報送信プログラムについては、後述する。
【００６３】
プログラム送信サーバ２０は、情報収集制御部１１からの指示を受けて、携帯端末１４０ａ，１４０ｂなどに情報送信プログラムを送信する。
【００６４】
（４）情報送信プログラム
情報送信プログラムは、携帯端末１４０ａ，１４０ｂに搭載されたウェブブラウザによって閲覧されたウェブサイトの閲覧履歴を収集するプログラムである。情報送信プログラムは、ウェブブラウザに組み込まれる。
【００６５】
情報送信プログラムは、ウェブサイトの閲覧履歴として、ウェブブラウザによって閲覧されたウェブサイトのＵＲＬを取得する。また、一のウェブサイトの閲覧前に閲覧されていたウェブサイトのＵＲＬ、すなわち、リファラー情報を取得する。
【００６６】
本実施形態において、一のウェブサイトは、第１ウェブサイトを構成し、一のウェブサイトのＵＲＬは第１サイト識別子を構成する。また、本実施形態において、一のウェブサイトの閲覧前に閲覧されていたウェブサイトは、第２ウェブサイトを構成し、このサイトのＵＲＬは、第２サイト識別子を構成する。
【００６７】
情報送信プログラムは、閲覧履歴及び閲覧履歴とともに、ウェブサイトが閲覧されたときの携帯端末１４０ａ，１４０ｂの位置情報を取得する。また、情報送信プログラムは、ウェブサイトの閲覧を開始した時間等を取得する。
【００６８】
情報送信プログラムは、取得したウェブサイトのＵＲＬ、リファラー情報、位置情報を情報収集サーバ１０に送信する処理を携帯端末１４０ａ、１４０ｂに実行させる。
【００６９】
図２は、情報送信プログラムによって、携帯端末１４０ａ、１４０ｂにおいて取得される閲覧履歴を示す。
【００７０】
閲覧履歴には、閲覧履歴が取得された携帯端末を特定するためのＩＤ、すなわち加入者識別子（International Mobile Subscriber Identity）、ウェブサイトの閲覧開始時間（接触開始時間）、閲覧されたウェブサイト（接触ＵＲＬ）、リファラー情報、閲覧時の携帯端末１４０の経度、緯度、標高などがある。加入者識別子は、以下、ＩＭＳＩという。
【００７１】
これらの閲覧履歴は、携帯端末１４０から取得され、携帯端末１４０を特定するＩＭＳＩに対応付けされる。そして、例えば、図２に示すテーブル形式で情報収集サーバ１０に送信される。
【００７２】
（５）モニタプロフィール管理サーバの構成
モニタプロフィール管理サーバ３０は、携帯端末１４０ａ，１４０ｂに割り当てられた加入者識別子と、ユーザのプロフィールとを関連付けて管理する。
【００７３】
加入者とは、携帯電話サービスに加入した加入者を指す。また、加入者識別子（ＩＭＳＩ）は、携帯端末１４０ａ，１４０ｂを一意に識別可能な識別子であり、携帯電話番号を含む。
【００７４】
携帯型電話は、通常、携帯電話サービスに加入した加入者本人によってのみ使用される。従って、加入者識別子（ＩＭＳＩ）は、携帯端末１４０ａ，１４０ｂを使用する使用者を特定できる識別情報である。
【００７５】
ユーザのプロフィールは、携帯型電話を用いてウェブサイトを閲覧したユーザに関する情報である。ユーザプロフィールの一例を、図３に示す。
【００７６】
ユーザプロフィールには、ユーザの名前又はニックネーム、携帯ＩＤ、すなわち加入者識別子（ＩＭＳＩ）、携帯端末の機種に関する情報、性別、生年月日、職業、婚歴、最終学歴、年収、その他ウェブサイトを閲覧した人物に関連する情報が含まれる。
【００７７】
ユーザのプロフィールは、例えば、ウェブサイトの閲覧履歴の提供を承諾したユーザから取得する。取得方法としては、例えば、情報収集会社は、所定のウェブページ上に、プロフィールを記入するための入力フォームを用意しておく。情報収集会社は、ユーザに、ウェブサイトの閲覧履歴の提供を求める。ユーザが承諾した場合に、所定の入力フォームにユーザを誘導する。
【００７８】
（６）情報集計サーバの構成
情報集計サーバ４０は、情報収集サーバ１０により収集されたウェブサイトの閲覧履歴をプロフィール毎に集計する。
【００７９】
情報集計サーバ４０は、情報取得部４１と、関連付部４２と、集計データ格納部４３とを有する。情報取得部４１は、通信ネットワーク６０を介して各種情報を取得する。
【００８０】
情報取得部４１は、ウェブサイトの閲覧履歴を情報収集サーバ１０から取得する、また、プロフィールをモニタプロフィール管理サーバ３０から取得する。
【００８１】
情報集計サーバ４０は、ウェブサイトの閲覧履歴を携帯端末１４０ａ，１４０ｂの位置情報毎に集計する。
【００８２】
関連付部４２は、情報収集サーバ１０から取得したウェブサイトの閲覧履歴とモニタプロフィール管理サーバ３０から取得したプロフィールとを加入者識別子によって関連付ける。
【００８３】
集計データ格納部４３は、関連付部４２において互いに関連付けられたプロフィールと加入者識別子とを記憶する。
【００８４】
（７）携帯端末の構成
次に、図１を参照して、携帯端末１４０ａ，１４０ｂの構成を説明する。図１に示す携帯端末１４０ａ、１４０ｂは、異なる使用者（加入者）によって使用される個別の携帯電話を示している。両者は、同一の機能を有する。以下では、携帯端末１４０ａの構成を説明する。
【００８５】
図１に示すように、携帯端末１４０ａは、通信インターフェイス（以下、通信Ｉ／Ｆという）１４１、制御部１４２、ＲＡＭ１４３、ＲＯＭ１４４を有する。
【００８６】
通信Ｉ／Ｆ１４１は、基地局１２０と無線通信により通信する。情報収集サーバ１０からウェブサイトの閲覧履歴を情報収集サーバ１０に提供することを依頼する通知を受信する。通信Ｉ／Ｆ１４１は、プログラム送信サーバ２０からウェブサイトの閲覧履歴などを収集するための情報送信プログラムを受信する。
【００８７】
また、制御部１４２において収集されたウェブサイトの閲覧履歴、携帯端末１４０ａのＩＭＳＩ、携帯端末１４０ａの位置情報を情報収集サーバ１０に送信する。
【００８８】
制御部１４２は、通話、ウェブサイトの閲覧等の制御を行う。ＲＯＭ１４４には、通話、ウェブサイトの閲覧のためのプログラム等が格納される。また、ＲＡＭ１４３は、制御部１４２の作業領域として機能する。
【００８９】
制御部１４２には、ウェブサイトを閲覧するための閲覧ソフトがインストールされている。制御部１４２は、閲覧ソフトによって、ウェブサイトを閲覧することができる。すなわち、制御部１４２は、ウェブブラウザ１４２１としての機能を有する。
【００９０】
また、制御部１４２には、プログラム送信サーバ２０から送られた情報送信プログラムがインストールされる。情報送信プログラムは、ウェブブラウザ１４２１に組み込まれる。制御部１４２は、情報送信プログラムによってウェブブラウザ１４２１によって閲覧したウェブサイトの閲覧履歴等を収集する処理を実行する。すなわち、制御部１４２は、情報収集部１４２２として機能する。
【００９１】
表示部１４５は、ウェブサイト、携帯端末の操作に係るメッセージなどを表示する。表示部１４５は、例えば、液晶表示装置（ＬＣＤパネル）である。
【００９２】
入力部１４６は、数字、アルファベットを入力することが可能なインターフェイスである。
【００９３】
位置情報測定部１４７は、携帯端末１４０ａの位置を測定する。位置情報測定部１４７は、いわゆるＧＰＳユニットである。
【００９４】
携帯ＩＤメモリ１４８は、ＩＭＳＩを格納する。携帯ＩＤメモリ１４８は、携帯端末１４０ａの本体に対して着脱可能になっていてもよい。
【００９５】
情報送信プログラムメモリ１４９は、通信Ｉ／Ｆ１４１により受信した情報送信プログラムを格納する。
【００９６】
（８）閲覧履歴の収集処理
次に、情報収集システム１によるウェブサイトの閲覧履歴の収集処理について説明する。情報収集システム１は、情報送信プログラムを携帯端末１４０に送信する処理と、情報送信プログラムによってウェブサイトの閲覧履歴を収集する処理とを有する。
【００９７】
（８．１）情報送信プログラムの送信処理
図４は、情報収集システム１が情報送信プログラムを携帯端末１４０に送信する処理を示すフローチャートである。
【００９８】
本実施形態では、情報収集会社は、携帯端末１４０ａのユーザに対して、携帯端末を用いて閲覧したウェブサイトの閲覧履歴の収集に登録する勧誘の通知（以下、モニタ登録の依頼という）を行うものとする。この勧誘を承諾したユーザの携帯端末に情報送信プログラムを送信する。
【００９９】
すなわち、具体的には、図４に示すように、情報収集サーバ１０は、ステップＳ１において、モニタ登録の依頼を電子メールにより携帯端末１４０ａに送信する。
【０１００】
ステップＳ２において、携帯端末１４０ａは、電子メールによりモニタ登録の依頼を受信する。ステップＳ３において、携帯端末１４０ａにおいてモニタ登録のための操作入力が行われる。
【０１０１】
ステップＳ４において、携帯端末１４０ａからモニタ登録に必要な情報が送信される。モニタ登録に必要な情報とは、図３に示すユーザプロフィールである。
【０１０２】
ステップＳ５において、情報収集サーバ１０は、ユーザプロフィールを受信する。
【０１０３】
ステップＳ６において、情報収集サーバ１０は、ステップＳ５において、受信したユーザプロフィールをモニタプロフィール管理サーバ３０に送る。モニタプロフィール管理サーバ３０は、ステップＳ７において、モニタデータベースを作成し、記憶装置に格納する。
【０１０４】
情報収集サーバ１０は、ステップＳ８において、プログラム送信サーバ２０に対して、携帯端末１４０ａに送信プログラムを送信する指示を送る。
【０１０５】
ステップＳ９において、プログラム送信サーバ２０は、情報収集サーバ１０からの指示に基づいて、携帯端末１４０ａに対して情報送信プログラムを送信する。
【０１０６】
ステップＳ１０において、携帯端末１４０ａは、情報送信プログラムを受信する。ステップＳ１１において、携帯端末１４０ａは、情報送信プログラムをウェブブラウザにインストールする。
【０１０７】
情報送信プログラムのインストールが完了すると、携帯端末１４０ａは、ステップＳ１２において、情報送信プログラムのインストールが完了したことを示す設定完了通知を情報収集サーバ１０に送信する。ステップＳ１３において、情報収集サーバ１０は、モニタ登録を終了する。
【０１０８】
（８．２）閲覧履歴を収集する処理
図５は、携帯端末１４０ａにおいて閲覧されたウェブサイドに関する情報を収集する処理を示すフローチャートである。ユーザは、携帯端末１４０ａを用いてウェブサイトを閲覧する際には、携帯端末１４０ａのウェブブラウザを立ち上げる。
【０１０９】
ステップＳ２１において、携帯端末１４０ａは、ウェブブラウザを起動する。ステップＳ２２において、ユーザの操作入力に応じて、コンテンツサーバ５０ａにウェブサイトのようなコンテンツの送信を要求する。
【０１１０】
ステップＳ２３において、コンテンツサーバ５０ａは、コンテンツの送信要求を受け取り、ステップＳ２４において、携帯端末１４０ａへコンテンツを送信する。ステップＳ２５において、携帯端末１４０ａは、コンテンツを受信する。
【０１１１】
ステップＳ２６において、携帯端末１４０ａのウェブブラウザにインストールされた情報送信プログラムは、位置情報測定部１４７から携帯端末１４０ａの位置情報を取得する。
【０１１２】
ステップＳ２６において、情報送信プログラムは、ウェブブラウザによって閲覧されているウェブサイトのＵＲＬを取得する。また、情報送信プログラムは、閲覧時間なども取得する。
【０１１３】
ステップＳ２７において、情報送信プログラムは、取得した閲覧履歴、リファラー情報、位置情報、閲覧時間を携帯端末１４０ａのＲＡＭ１４３等のメモリに一時的に格納する。
【０１１４】
ステップＳ２８において、情報送信プログラムは、取得した閲覧履歴、リファラー情報、位置情報、閲覧時間及び携帯端末１４０ａのＩＭＳＩ（携帯端末を識別する携帯ＩＤ）を所定のタイミングで情報収集サーバ１０に送信する。
【０１１５】
情報収集サーバ１０は、ステップＳ２９において、取得した閲覧履歴、リファラー情報、位置情報、閲覧時間及び携帯端末１４０ａのＩＭＳＩを受信する。
【０１１６】
ステップＳ３０において、情報収集サーバ１０は、取得した閲覧履歴、リファラー情報、位置情報、閲覧時間及び携帯端末１４０ａのＩＭＳＩを情報格納部１２に一時的に保存する。
【０１１７】
ステップＳ３１において、情報収集サーバ１０は、情報格納部１２に保存された閲覧履歴、リファラー情報、位置情報、閲覧時間及びＩＭＳＩを情報集計サーバ４０に送る。
【０１１８】
ステップＳ３２において、情報集計サーバ４０は、情報収集サーバ１０により収集されたウェブサイトの閲覧履歴をプロフィール毎に集計する。情報取得部４１は、ウェブサイトの閲覧履歴を情報収集サーバ１０から取得する。また、情報取得部４０は、プロフィールをモニタプロフィール管理サーバ３０から取得する。関連付部４２は、情報収集サーバ１０から取得したウェブサイトの閲覧履歴とモニタプロフィール管理サーバ３０から取得したプロフィールとをＩＭＳＩによって関連付ける。
【０１１９】
集計データ格納部４３は、関連付部４２において互いに関連付けられたプロフィールとＩＭＳＩとを記憶する。
【０１２０】
（９）作用・効果
情報収集システム１では、プログラム送信サーバ２０により携帯端末１４０ａに送信された閲覧ソフトに組み込まれた情報送信プログラムは、移動体通信ネットワーク１１０において加入者を識別する加入者識別子（ＩＭＳＩ）及びウェブサイトの閲覧履歴を情報収集サーバ１０に送信する処理を携帯端末１４０ａに実行させる。
【０１２１】
情報収集システム１によれば、携帯端末１４０ａで閲覧されたウェブサイトの閲覧履歴と携帯端末１４０ａの加入者識別子（ＩＭＳＩ）とが情報収集サーバ１０に収集される。
【０１２２】
携帯型電話である携帯端末１４０ａは、通常、使用者が限定されため、加入者識別子（ＩＭＳＩ）は、携帯端末１４０ａ，１４０ｂを使用する使用者を特定できる識別情報として使用される。
【０１２３】
そのため、携帯端末１４０ａを用いて閲覧されたウェブサイトの閲覧履歴と閲覧者である携帯端末１４０ａのユーザの属性とを正確に関連付けることができる。つまり、ユーザに対して、例えば、端末装置を操作するユーザを識別するためのログイン処理などを行わせる必要がなくなる。
【０１２４】
従って、情報収集システム１は、ログイン処理などを必要とせずに、ウェブサイトの閲覧履歴とユーザ属性とを正確に関連付けることを可能とする。
【０１２５】
情報収集システム１は、情報集計サーバ４０は、ウェブサイトの閲覧履歴を情報収集サーバ１０から取得し、プロフィールをモニタプロフィール管理サーバ３０から取得する情報取得部４１と、情報収集サーバ１０から取得したウェブサイトの閲覧履歴とモニタプロフィール管理サーバ３０から取得したプロフィールとを加入者識別子によって関連づける関連付部４２とを有する。
【０１２６】
このような情報収集システム１によれば、情報集計サーバ４０は、情報収集サーバ１０から取得したウェブサイトの閲覧履歴とモニタプロフィール管理サーバ３０から取得したプロフィールとを加入者識別子（ＩＭＳＩ）によって関連付ける。
【０１２７】
従って、情報収集システム１は、ウェブサイトの閲覧履歴とユーザプロフィールのような、より詳細なユーザ属性とを正確に関連付けることを可能とする。
【０１２８】
情報収集システム１によれば、閲覧ソフトに組み込まれた情報送信プログラムは、ウェブサイトの閲覧履歴とともに携帯端末１４０ａ，１４０ｂにおいて取得された位置情報を情報収集サーバ１０に送信する処理を携帯端末１４０ａ，１４０ｂに実行させる。情報集計サーバ４０は、ウェブサイトの閲覧履歴を携帯端末１４０ａ，１４０ｂの位置情報毎に集計する。
【０１２９】
従って、情報収集システム１は、ウェブサイトの閲覧履歴とユーザ属性に加えて、ウェブサイトが閲覧されたときの位置情報とを関連付けることができる。
【０１３０】
また、情報収集システム１は、ウェブサイトの閲覧履歴は、第１ウェブサイトを識別する第１サイト識別子と、第１ウェブサイトの閲覧前に閲覧されていた第２ウェブサイトを識別する第２サイト識別子（リファラー情報）とを含む。
【０１３１】
従って、情報収集システム１によれば、ウェブサイトの閲覧履歴とユーザ属性とを正確に関連付けることを可能とする上に、第１ウェブサイトの閲覧前に閲覧されていた第２ウェブサイトを識別する第２サイト識別子（リファラー情報）を取得することができるので、より詳細な閲覧履歴を収集することができる。
【０１３２】
（１０）モニタプロフィールの取得方法に関する変形例
上述した実施形態では、情報収集会社がユーザの属性を知るためのプロフィールを、所定のタイミングで入力させるようにした。つまり、モニタプロフィールは、ウェブサイトの閲覧履歴の提供を承諾したユーザから取得するとした。
【０１３３】
しかし、情報収集システム１は、モニタプロフィールを移動体通信ネットワーク１１０から取得することもできる。
【０１３４】
図１に示す情報収集システム１において、移動体通信ネットワーク１１０には、加入者識別子（ＩＭＳＩ）と加入者のプロフィールを含む加入者情報とを関連付けて管理する加入者情報管理装置１３０が設けられている。
【０１３５】
この場合には、情報集計サーバ４０は、ウェブサイトの閲覧履歴を情報収集サーバ１０から取得するとともに、プロフィールを加入者情報管理装置１３０から取得する。
【０１３６】
情報収集サーバ１０から取得したウェブサイトの閲覧履歴と加入者情報管理装置１３０から取得したプロフィールとを加入者識別子（ＩＭＳＩ）によって関連付ける。
【０１３７】
このように、情報収集システム１は、加入者情報管理装置１３０からプロフィールを取得し、閲覧履歴と移動体通信ネットワーク１１０において管理された加入者情報とを関連付けることができる。従って、加入者のプロフィールを改めて作成する手間が省ける。
【０１３８】
（１１）その他の実施形態
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなる。
【０１３９】
図１に示す情報収集システム１における、情報収集サーバ１０，プログラム送信サーバ２０、…、携帯端末１４０ａ等の内部の構成は、専用のハードウェアとして用意される他、ＣＰＵ等の制御部によって実行されるソフトウェアモジュールとして、通常、実現されてもよい。
【０１４０】
従って、図４又は図５に示す一連の処理のうち、図１に示した各サーバ、携帯端末等の内部において実行される処理は、デバイス制御、マルチタスク動作環境、タイマ等の機能をもった一般的なマルチタスクＯＳ上で、上述のように用意された各ソフトウェアモジュールを実行するプログラムによって動作させることで実現可能である。
【０１４１】
上述した実施形態では、図４に示すフローチャートにおいて、はじめに情報収集サーバ１０からユーザの携帯端末１４０ａに依頼通知が送信されるとした。しかし、情報収集サーバ１０から無作為に携帯端末に依頼通知を送信するのでなく、ステップＳ１の前に、ユーザから、電子メール、専用のウェブサイトへのアクセスなどにより、依頼通知を要求する工程を含んでいてもよい。
【０１４２】
例えば、ユーザは、情報収集会社のウェブサイトや、別のウェブサイト、雑誌、ＴＶ等の広告媒体を通じて、携帯端末によるウェブサイトの閲覧履歴の収集等が行われていることを知り、興味を示してアクセスしてくることなどが考えられる。
【０１４３】
上述の実施形態では、情報収集システム１に接続されるコンテンツサーバは２つとしたが、数は２つに限定されない。２つ以上あってもよい。また、情報収集システム１に接続される携帯端末は２つであるとしたが数は限定されない。
【０１４４】
上述の実施形態では、携帯端末１４０ａは、ＩＭＳＩを格納するメモリと、情報送信プログラムを格納するメモリとをそれぞれ有するとした。しかし、個別に用意しなくてもよい。例えば、同一メモリの記憶領域を仮想的に分割して使用することもできる。
【０１４５】
また、上述の実施形態では、携帯端末１４０ａ，１４０ｂを使用する使用者を特定できる識別情報として、加入者識別子（International Mobile Subscriber Identity）を使用するとして説明したが、ＩＭＳＩに限定されない。携帯電話サービスに加入した加入者を一意に識別可能な識別子であればよい。
【０１４６】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【０１４７】
【図１】本発明の実施形態に係る情報収集システムの構成図である。
【図２】本発明の実施形態に係る情報収集システムにおいて、情報送信プログラムによって携帯端末で取得される閲覧履歴の一例を示す図である。
【図３】本発明の実施形態に係る情報収集システムにおいて使用されるユーザのプロフィールの一例を示す図である。
【図４】本発明の実施形態に係る情報収集システムが情報送信プログラムを携帯端末に送信する処理を示すフローチャートである。
【図５】本発明の実施形態に係る情報収集システムが携帯端末において閲覧されたウェブサイドに関する情報を収集する処理を示すフローチャートである。
【符号の説明】
【０１４８】
１０…情報収集サーバ、１１…情報収集制御部、１２…情報格納部、２０…プログラム送信サーバ、２１…情報プログラム格納部、３０…モニタプロフィール管理サーバ、４０…情報集計サーバ、４１…情報取得部、４２…関連付部、４３…集計データ格納部、５０ａ，５０ｂ…コンテンツサーバ、６０…通信ネットワーク、１００…移動体通信システム、１１０…移動体通信ネットワーク、１２０…基地局、１３０…加入者情報管理装置、１３１…登録データベース、１３２…位置情報生成部、１４０ａ，１４０ｂ…携帯端末、１４１…通信Ｉ／Ｆ、１４２…制御部、１４３…ＲＡＭ、１４４…ＲＯＭ、１４２１…ウェブブラウザ、１４２２…情報収集部、１４５…表示部、１４６…入力部、１４７…位置情報測定部、１４８…携帯ＩＤメモリ、１４９…情報送信プログラムメモリ、２００…ゲートウェイ
【図１】
2009259119.tif 000003
【図２】
2009259119.tif 000004
【図３】
2009259119.tif 000005
【図４】
2009259119.tif 000006
【図５】
2009259119.tif 000007